(57)【要約】      （修正有）【課題】簡単な回路構成で、安価であり、しかも理想的にγ補正されていると感じられる液晶表示装置を提供すること。【解決手段】γ補正用階調基準電圧発生回路１４において、所定の基準電圧ＶＣＯＭ１、ＶＣＯＭ２を抵抗分圧して複数個の階調基準電圧ＶＧＭ１〜ＶＧＭ１０を発生させ、ソースドライバ内の電源回路２８Ａ（２８Ｂ）において、前記階調基準電圧のうち最大階調基準電圧ＶＧＭ１（ＶＧＭ６）及び最小階調基準電圧ＶＧＭ５（ＶＧＭ１０）をそれぞれ１対のバッファ回路３１、３２（３３、３４）により低インピーダンス化し、前記一対のバッファ回路の出力間に所定の分解能の抵抗分圧回路Ｒ２’〜Ｒ５’（Ｒ７’〜Ｒ１０’）を接続し、その他の階調基準電圧はそれぞれ対応する前記抵抗分圧回路の分圧点に並列に供給し、さらに、前記抵抗分圧回路の両端を含む各分圧点をそれぞれ対応するＤＡ変換回路２６Ａ（２６Ｂ）の基準電圧入力端子に接続する。【選択図】図３
2006276114.tif 000002
【特許請求の範囲】
【請求項１】
複数の行ライン及び複数の列ラインを有する液晶セルと、各行ラインを駆動するゲートドライバと、各列ラインを駆動するソースドライバと、前記ソースドライバに複数個のγ補正用の階調基準電圧を供給するγ補正用階調基準電圧発生回路とを備え、前記ソースドライバは電源回路及びＤＡ変換回路を備え、前記電源回路は、前記複数個の入力された階調基準電圧のうち最大階調基準電圧及び最小階調基準電圧がそれぞれ入力される１対のバッファ回路と、前記一対のバッファ回路の出力間に接続された所定の分解能の抵抗分圧回路とを備え、前記最大階調基準電圧及び最小階調基準電圧以外の階調基準電圧はそれぞれ対応する前記抵抗分圧回路の分圧点に並列に供給され、さらに、前記抵抗分圧回路の両端を含む各分圧点はそれぞれ対応するＤＡ変換回路の基準電圧入力端子に接続されていることを特徴とする液晶表示装置。
【請求項２】
前記電源回路及びＤＡ変換回路は、正極性側用の第１電源回路及び第１ＤＡ変換回路と、負極性側用の第２電源回路及び第２ＤＡ変換回路とからなり、前記第１及び第２電源回路は、それぞれの側において、前記複数個の入力された階調基準電圧のうち最大階調基準電圧及び最小階調基準電圧がそれぞれ入力される１対のバッファ回路と、前記一対のバッファ回路の出力間に接続された所定の分解能の抵抗分圧回路とを備え、前記最大階調基準電圧及び最小階調基準電圧以外の入力された階調基準電圧はそれぞれ対応する前記抵抗分圧回路の分圧点に並列に供給され、さらに、前記抵抗分圧回路の両端を含む各分圧点はそれぞれ対応する前記第１ないし第２ＤＡ変換回路の基準電圧入力端子に接続されていることを特徴とする請求項１に記載の液晶表示装置。
【請求項３】
前記ソースドライバは、選択信号ＰＯＬによって前記正極性用の第１の電源回路及び第１ＤＡ変換回路又は前記負極性用の第２電源回路及び第２ＤＡ変換回路のいずれかの組合せを選択し、前記第１又は第２ＤＡ変換回路により入力されたデジタルＲ、Ｇ、Ｂ信号に対応するアナログ階調電圧の一つを選択して出力することを特徴とする請求項２に記載の液晶表示装置。
【請求項４】
１対のバッファ回路を有する前記第１電源回路と、他の１対のバッファ回路を有する前記第２電源回路と、前記第１ＤＡ変換回路と、前記第２ＤＡ変換回路とを備える前記ソースドライバは、単一の集積回路素子にて構成されたことを特徴とする請求項２に記載の液晶表示装置。
【発明の詳細な説明】
【技術分野】
【０００１】
本発明は、γ補正回路を備えた液晶表示装置に関し、特に簡単な構成のγ補正回路でありながらも視覚的には従来のγ補正回路と実質的に同等のγ補正を行うことができるγ補正回路を備えた液晶表示装置に関する。
【背景技術】
【０００２】
陰極線管（ＣＲＴ、ブラウン管）においては、駆動電圧Ｖと発光輝度Ｙとの間の関係は比例関係ではなく、Ｙ＝ＫＶγという関係式で表現される。この定数γをガンマ（ｇａｍｍａ）と呼び、わが国のテレビジョン（ＴＶ）方式においては、あらかじめこの特性を考慮しγ＝２．２として送信側で補正を行っている。
【０００３】
送信側で元の信号に加えられたγ補正は、画像の明るさだけでなく赤・緑・青（ＲＧＢ）の割合まで変えてしまうが、受信側ではそのγ補正された信号をＣＲＴで表示すると、駆動電圧Ｖと発光強度Ｙとの関係が比例関係となって、元の色を再現できるようになっている。
【０００４】
しかしながら、特に液晶表示装置においては、駆動電圧と輝度ないし透過光量との間の関係はＣＲＴの場合とは異なるので、ＴＶ受信機用の液晶表示装置においては受信側でγ補正を行ってＣＲＴで表示した場合と同様の色が再現できるようにする必要がある。
【０００５】
一方、人間の目が表示された画像に対して違和感なく自然に感じるのは、画像の信号レベルと輝度との関係が図７に示した曲線に示すような特性でなければならないことが知られている。
【０００６】
したがって、一般的な液晶表示パネルを使用して、図７に示したような理想的な輝度−信号レベル特性を持つ液晶表示装置とするためには、液晶表示パネルの液晶セルにかける電圧として、図８に示したような信号レベルに相当するアナログ電圧を液晶セルに印加すればよいことになる。
【０００７】
最近の液晶表示パネルを使用したＴＶ受信機のγ補正は列駆動用ＩＣ、すなわちソースドライバ内に設けられているＤＡ変換回路へ供給する階調基準電圧を制御することで行っている（下記特許文献１、２参照）。そこで、以下において従来の液晶表示装置の階調基準電圧発生回路について図面を用いて簡単に説明する。
【０００８】
図９は、従来から普通に使用されているガンマ補正用の階調基準電圧発生回路１００を示す。このガンマ補正用の階調基準電圧発生回路１００は、たとえば８本の抵抗Ｒ０〜Ｒ７が直列に接続された抵抗分割回路によって図示しない定電圧源から供給されている一定の電圧ＶＲを８分割し、それぞれの分割した電圧をバッファ回路１０１〜１０８により低インピーダンス化している。
【０００９】
そして、図７に示した理想出力曲線画が得られるように任意に選択した８個の基準電圧ＶＲ１〜ＶＲ８（ＶＲ０も含めると９個）を得て、このＶＲ０〜ＶＲ８を図示しないソースドライバのＤＡ変換回路に供給するようになされている。
【００１０】
なお、ＲＶＡＲは階調基準電圧微調整用の半固定抵抗である。このガンマ補正用の階調基準電圧発生回路１００で生成する階調基準電圧は、複数個であれば任意である。しかし、あまり数が少ないと補正間隔が粗くなるため、通常６個以上、特に高精度補正の場合には８個以上が使用されている。
【００１１】
また、基準電圧ＶＲとしては、コモン電圧Ｖcomに対して互いに反転する基準電圧あるいは反転しない基準電圧が供給される。一般に液晶表示装置は、焼き付き、あるいはフリッカを低減するために１水平ライン等の所定の水平ラインごとや１フレームごとに反転する電圧が印加される。
【００１２】
そのため、反転しない基準電圧が供給される場合は、その電圧レベルは一定であるが、その電圧の反転は各ソースドライバ内部において、液晶表示パネルに供給する際に行われる。
【００１３】
また、図１０は、下記特許文献１に開示されている、液晶表示パネルの白レベル点及び黒レベル点のバラツキに対応できるようにするとともに、簡単に正負両極性の補正電圧の相対値を等しくできるようにしたγ補正用の階調基準電圧発生回路を示す。このγ補正回路用の階調基準電圧発生回路１２０は、ＡＶＤＤとグラウンド間の分圧電位Ｖ０’とＶ６’とをそれぞれバッファ回路１２１及び１２２を介して可変抵抗を含む分圧抵抗Ｒ０〜Ｒ１０及びＲｅ１〜Ｒｅ４により分圧している。
【００１４】
そして、その分圧出力をそれぞれバッファ回路１２３〜１２７を介して正極性のγ補正電圧用の基準電圧Ｖ０〜Ｖ６を得て、この正極性のγ補正用の基準電圧Ｖ０〜Ｖ６をそれぞれ反転増幅器１２８〜１３４を介して負極性のγ補正用の階調基準電圧Ｖ７〜Ｖ１３を得るようになしたものである。
【００１５】
図示しないソースドライバ内のＤＡ変換回路では、前述のようにしてガンマ補正用の階調基準電圧発生回路１００ないし１２０等から供給された複数個の階調基準電圧を等間隔に分割することにより所望精度の参照基準電圧が作成される。
【００１６】
そして、別途、ラッチ、サンプリングメモリ、ホールドメモリ及びレベルシフタ等（何れも図示せず）を経て供給された赤色（Ｒ）、緑色（Ｇ）、青色（Ｂ）の各表示信号ＤＲ、ＤＧ、ＤＢのデジタル信号に対応する参照基準電圧の一つが選択されてアナログ階調出力値として出力される。そして、図示しない液晶表示パネルの信号線に供給され、液晶表示パネルの光透過率がＲＧＢの各画素に対して、所望精度の階調表示となるようにされている。
【特許文献１】特開２００２−２５０９０８号公報
【特許文献２】特開２００３−２８０６１５号公報
【発明の開示】
【発明が解決しようとする課題】
【００１７】
上述のように、図９及び図１０に示した従来の液晶表示装置によれば、所定のγ補正を行った高精度の画像表示が可能である。しかし、抵抗分割した階調基準電圧を低インピーダンス化するためのバッファ回路１０１〜１０８（図９参照）と、１２１〜１２７ないし負極性化するための反転回路１２８〜１３４（図１０参照）等の外付け回路が各分圧後の配線毎に多数設けられており、かつ、ディスクリートに配置されている。そのため、回路全体が大きくなり、コスト高になるという問題点が存在している。
【００１８】
本願の発明者は、上述のような従来の液晶表示装置における外付け回路の問題点を解決すべく種々検討を重ねた。その結果、γ補正用の階調基準電圧は、白レベル（全赤、全緑又は全青を含む。以下、同じ）用基準電圧と、黒レベル用基準電圧とが図７に示した理想的な輝度−信号レベル特性曲線上に位置していればよい事を見出した。その中間部では多少理想曲線からずれがあっても、人の目にはほとんど認識できない事を見出した。
【００１９】
そして、本発明者は、白レベル及び黒レベル基準電圧生成用外付け回路を除く、他の外付け回路は省略できる事、及び、外付け回路が簡単なものですむので容易にソースドライバ内に組み込むことができる事、しかもγ補正用の階調基準電圧発生回路としては単なる抵抗分圧回路を使用できるようになる事を見出し、本発明を完成するに至ったのである。
【００２０】
すなわち、本発明は、γ補正用の階調基準電圧発生回路として、単なる抵抗分圧回路を使用しながらも、特に低インピーダンス化のための外付け回路を減らし、かつ、簡単な回路構成で、安価であり、しかも人の目には理想的にγ補正されていると感じられるγ補正回路を備えた液晶表示装置を提供することを目的とする。
【課題を解決するための手段】
【００２１】
上記課題を解決するために、請求項１に記載の液晶表示装置の発明は、複数の行ライン及び複数の列ラインを有する液晶セルと、各行ラインを駆動するゲートドライバと、各列ラインを駆動するソースドライバと、前記ソースドライバに複数個のγ補正用の階調基準電圧を供給するγ補正用階調基準電圧発生回路とを備え、前記ソースドライバは電源回路及びＤＡ変換回路を備え、前記電源回路は、前記複数個の入力された階調基準電圧のうち最大階調基準電圧及び最小階調基準電圧がそれぞれ入力される１対のバッファ回路と、前記一対のバッファ回路の出力間に接続された所定の分解能の抵抗分圧回路とを備え、前記最大階調基準電圧及び最小階調基準電圧以外の階調基準電圧はそれぞれ対応する前記抵抗分圧回路の分圧点に並列に供給され、さらに、前記抵抗分圧回路の両端を含む各分圧点はそれぞれ対応するＤＡ変換回路の基準電圧入力端子に接続されていることを特徴とする。
【００２２】
また、請求項２に記載の発明は、請求項１に記載の液晶表示装置において、前記電源回路及びＤＡ変換回路は、正極性側用の第１電源回路及び第１ＤＡ変換回路と、負極性側用の第２電源回路及び第２ＤＡ変換回路とからなり、前記第１及び第２電源回路は、それぞれの側において、前記複数個の入力された階調基準電圧のうち最大階調基準電圧及び最小階調基準電圧がそれぞれ入力される１対のバッファ回路と、前記一対のバッファ回路の出力間に接続された所定の分解能の抵抗分圧回路とを備え、前記最大階調基準電圧及び最小階調基準電圧以外の入力された階調基準電圧はそれぞれ対応する前記抵抗分圧回路の分圧点に並列に供給され、さらに、前記抵抗分圧回路の両端を含む各分圧点はそれぞれ対応する前記第１ないし第２ＤＡ変換回路の基準電圧入力端子に接続されていることを特徴とする。なお、本発明における正極性側ないし負極性側とは、液晶表示パネルの共通電極に印加されるコモン電圧を基準とした場合の極性を表し、必ずしも０Ｖを基準とした正負の極性を表すものではない。
【００２３】
また、請求項３に記載の発明は、請求項２に記載の液晶表示装置において、前記ソースドライバは、選択信号ＰＯＬによって前記正極性用の第１の電源回路及び第１ＤＡ変換回路又は前記負極性用の第２電源回路及び第２ＤＡ変換回路のいずれかの組合せを選択し、前記第１又は第２ＤＡ変換回路により入力されたデジタルＲ、Ｇ、Ｂ信号に対応するアナログ階調電圧の一つを選択して出力することを特徴とする。
【００２４】
また、請求項４に記載の発明は、請求項２に記載の液晶表示装置において、１対のバッファ回路を有する前記第１電源回路と、他の１対のバッファ回路を有する前記第２電源回路と、前記第１ＤＡ変換回路と、前記第２ＤＡ変換回路とを備える前記ソースドライバは、単一の集積回路素子にて構成されたことを特徴とする。
【発明の効果】
【００２５】
請求項１の発明によれば、階調基準電圧発生回路自体は単なる抵抗分圧回路であり、また、階調基準電圧の低インピーダンス化のためのバッファ回路は数が少ないので簡単にソースドライバ内に内蔵できる。それと共に、回路構成も簡単であるため、回路全体を小型化でき、しかも、安価なソースドライバ及び階調基準電圧発生回路を備えた液晶表示装置が得られる。さらに、最大階調基準電圧及び最小階調基準電圧はバッファ回路によって低インピーダンス化されているため、少なくとも白、全赤、全緑、全青及び全黒において望ましい輝度特性が得られるようになる。また、その他の階調においても、負荷によらず実質的に階調基準電圧の変動が避けられるため、実質的に正常にγ補正された表示が可能な液晶表示装置が得られる。
【００２６】
また、請求項２の発明によれば、ソース回路内の電源回路及びＤＡ変換回路を、正極性用及び負極性用に２分割して構成したので、これらの回路を一体構成としたものに比するとγ補正の精度が向上すると共に、回路構成が簡略化されるので、安価なソースドライバ及び階調基準電圧発生回路を備えた液晶表示装置が得られる。
【００２７】
また、請求項３の発明によれば、選択信号により正極性側用の第１電源回路及び第１ＤＡ変換回路と、負極性側用の第２電源回路及び第２ＤＡ変換回路を選択して駆動し得る。その結果、各ＤＡ変換回路により正確に所望の分解能のアナログ階調基準電圧を得ることができるようになるから、実質的に正常にγ補正された表示が可能な液晶表示装置が得られる。
【００２８】
請求項４の発明によると、各々が１対のバッファ回路を有する第１および第２電源回路と、第１および第２ＤＡ変換回路とを備えるソースドライバを単一の集積回路素子にて構成した。この様に、従来に比べて、バッファ回路は１対のものが２組しかないので、回路構成（レイアウト）が簡素化し、コストが安くなる。
【発明を実施するための最良の形態】
【００２９】
以下、本発明を実施するための最良の形態を実施例及び図面を用いて詳細に説明する。しかし、以下に述べた実施例は、本発明の技術思想を具体化するための液晶表示装置の一例を例示するものであって、本発明をこの実施例に特定することを意図するものでない。本発明は特許請求の範囲に示した技術思想を逸脱することなく、種々の変更を行ったものにも均しく適用し得るものである。なお、図１は、本発明の液晶表示装置の概略構成を示すブロック図であり、図２はソースドライバの概略構成を示すブロック図である。
【実施例】
【００３０】
図１において、本実施例の液晶表示装置１０は、液晶表示パネル１１、制御用集積回路１２、電源供給用集積回路１３、γ補正用階調基準電圧発生回路１４、複数個のソースドライバ１５及びゲートドライバ１６を備えている。液晶表示パネル１１の構成、ソースドライバ１５及びゲートドライバ１６の配置は、従来例のものと同様であるので、その詳細な説明は省略する。
【００３１】
制御用集積回路１２は、図示しない入力インタフェースを介して、コンピュータ、テレビジョン装置、ビデオ再生装置、ＤＶＤ（Digital Versatile Disk）再生装置等から送られてきたデータイネーブル信号ＤＥ、たとえばＲＧＢ各６ビットのデジタル画素データＩＲＤ、ＩＧＤ、ＩＢＤ、クロック信号ＤＯＴＣＬ、垂直同期信号ＶＳＹＮ、水平同期信号ＨＳＹＮ等を取り込んでデジタル的に信号処理する。
【００３２】
そして、制御用集積回路１２は、デジタルＲＧＢ表示データＤＲ、ＤＧ、ＤＢをソースドライバ１５へ供給し、クロックパルスＣＰＶを電源供給用集積回路１３及びゲートドライバ１６へ供給する。また、フレーム信号（スタートパルス）ＦＬＭもゲートドライバ１６へ供給する。
【００３３】
電源供給用集積回路１３は、供給された電源電圧ＶＩＮ（たとえば１２Ｖ）をもとに、液晶表示装置１０内で使用される各種の電圧、たとえば、制御用集積回路１２、ソースドライバ１５及びゲートドライバＩＣ１６に対し、駆動用電圧ＶＤＤを生成する。また、電源供給用集積回路１３は、γ補正用階調基準電圧発生回路１４へ供給する基準電圧ＶＣＯＭ１及びＶＣＯＭ２を生成する。
【００３４】
更に、電源供給用集積回路１３は、ソースドライバ１５を介して液晶表示パネル１１の列ライン１７に印加するための電圧ＶＧＥＮを生成する。電源供給用集積回路１３は、ゲートドライバ１６を介して液晶表示パネル１１の行ライン１８に印加するための電圧ＶＧＨ及びＶＧＬを生成する。電源供給用集積回路１３は、液晶表示パネル１１の共通電極に印加するための電圧Ｖｃｏｍを生成する。
【００３５】
γ補正用階調基準電圧発生回路１４は、電源供給用集積回路１３から供給されたγ補正回路用基準電圧ＶＣＯＭ１及びＶＣＯＭ２を抵抗分圧することにより階調基準電圧ＶＧＭ１〜ＶＧＭ１０を生成し、各ソースドライバ１５へ供給する。ソースドライバ１５は、この階調基準電圧ＶＧＭ１〜ＶＧＭ１０を、内蔵されているＤＡ変換回路の基準電圧として利用する。ソースドライバ１５は、上記基準電圧により、デジタルＲＧＢ表示データＤＲ、ＤＧ、ＤＢを処理し、液晶表示パネル１１の列ライン１７に対し、γ補正されたアナログ電圧を供給する。
【００３６】
ソースドライバ１５は、図２に示すように、１８ビットラッチ２１、シフトレジスタ２２、サンプリングメモリ２３、ホールドメモリ２４、レベルシフタ２５、ＤＡ変換回路２６、出力バッファ２７、電源回路２８を備えている。
【００３７】
制御用集積回路１２からソースドライバ１５へ入力されたデジタル化されたＲＧＢの各６ビットの表示データＤＲ、ＤＧ、ＤＢは、図２に示したように、ラッチ２１において時分割で内部にラッチされる。そして、サンプリングメモリ２３、ホールドメモリ２４、レベルシフタ２５を経て、水平同期信号ＨＳＹＮに同期して発生される水平スタートパルスＳＰに基づいて、電源回路２８からの基準電圧を基に、ＤＡ変換回路２６によりＤＡ変換を行う。そのことにより、階調表示用のγ補正されたアナログ電圧（階調表示電圧）を発生し、出力バッファ２７を経て、液晶表示パネル１１のＹ１〜Ｙｎからなるｎ本の信号線（列ライン）１７に供給する。
【００３８】
また、制御用集積回路１２からゲートドライバ１６へ供給された垂直同期信号ＶＳＹＮに同期し、発生されるゲートドライバ用クロック信号ＣＰＶや、ゲートスタートパルスＦＬＭは、ゲートドライバ１６により処理される。そして、走査信号は、液晶表示パネル１１のＸ１〜Ｘｍからなるｍ本の走査線（行ライン）１８に供給される。
【００３９】
なお、この場合、電源回路２８は一つのソースドライバ用ＩＣ１５に一つ設けられて共有されている。また、ＤＡ変換回路２６は、ソースドライバ１５の出力端子（合計１６０個）毎に、設けられている。
【００４０】
また、これらソースドライバ１５及びゲートドライバ１６内の具体的な信号処理に関しては、既に周知（下記特許文献１及び２参照）であるので、その詳細な説明は省略する。
【００４１】
このようにして、本実施例においては、ソースドライバ１５において、液晶表示パネル１１の信号線１７に印加する階調表示用電圧をアナログ電圧に変換することにより、液晶表示パネル１１の光透過率がＲＧＢの各画素に対して６ビット、すなわち６４段階の階調表示ができるようにしている。
【００４２】
この場合、基準電圧ＶＣＯＭ１及びＶＣＯＭ２に従い、γ補正用階調基準電圧発生回路１４において生成された階調基準電圧ＶＧＭ１〜ＶＧＭ１０に基づいて、電源回路２８及びＤＡ変換回路２６により、階調表示用のアナログ電圧を得る際に所定のγ補正が行われる。そのγ補正用階調基準電圧発生回路１４と、電源回路２８及びＤＡ変換回路２６の一具体例を図３を用いて説明する。
【００４３】
この実施例におけるγ補正用階調基準電圧発生回路１４自体は、１１本の抵抗Ｒ１〜Ｒ１１を直列接続した分圧回路である。ここでは、γ補正回路用基準電圧ＶＣＯＭ１及びＶＣＯＭ２を基に、１０分割して階調基準電圧ＶＧＭ１〜ＶＧＭ１０を生成するようにしている。
【００４４】
また、この実施例においては、電源回路２８及びＤＡ変換回路２６は、液晶表示パネルを周期的に反転駆動するために、正極性側用の第１電源回路２８Ａ及び第１ＤＡ変換回路２６Ａと、負極性側用の第２電源回路２８Ｂおよび第２ＤＡ変換回路２６Ｂとを備えている。
【００４５】
このうち、正極性側用の第１電源回路２８Ａは、最大階調基準電圧ＶＧＭ１及び最小階調基準電圧ＶＧＭ５の入力部にのみ低インピーダンス化のため、一対のバッファ回路３１及び３２を備えている。それと共に、これらの一対のバッファ回路３１及び３２の出力間に接続された所定の分解能、ここでは６ビットの分解能の抵抗分圧回路Ｒ２’〜Ｒ５’とを備えている。
【００４６】
前記最大階調基準電圧及び最小階調基準電圧以外の入力された階調基準電圧ＶＧＭ２〜ＶＧＭ４は、それぞれ対応する前記抵抗分圧回路の分圧点に、それぞれ並列に供給されている。
【００４７】
各抵抗分圧回路Ｒ２’〜Ｒ５’は、図３では、それぞれ１本の抵抗のように示されている。しかし、実際には、図４にＲ４’の例を示したように、１６本の抵抗からなる抵抗分圧回路である。
【００４８】
このようにして、第１の電源回路２８Ａにおいては、６ビット＝４×１６＝６４階調分の階調基準電圧Ｖ０〜Ｖ６３が作成され、これらの階調基準電圧が第１ＤＡ変換回路２６Ａに入力される。
【００４９】
第１ＤＡ変換回路２６Ａは、図５に示したように、第１電源回路２８Ａより入力された６４階調分の階調基準電圧Ｖ０〜Ｖ６３から、入力されたデジタルＲ、Ｇ、Ｂ表示データＤＲ、ＤＧないしＤＢに対応する階調基準電圧の一つを選択して出力する。γ補正されたアナログ電圧として、液晶表示パネル１１のＹ１〜Ｙｎからなるｎ本の信号線１７に供給されるようになっている。
【００５０】
なお、第２の電源回路２８Ｂ及び第２のＤＡ変換回路２６Ｂは、第１の電源回路２８Ａ及び第２の電源回路２８Ｂと同様の構成を備えている。即ち、第２ＤＡ変換回路２６Ｂは、第２電源回路２８Ｂより入力された６４階調分の階調基準電圧Ｖ６３’〜Ｖ０’から、入力されたデジタルＲ、Ｇ、Ｂ表示データＤＲ、ＤＧないしＤＢに対応する階調基準電圧の一つを選択して出力する。γ補正されたアナログ電圧として、液晶表示パネル１１のＹ１〜Ｙｎからなるｎ本の信号線１７に供給されるようになっている。
【００５１】
また、この実施例では、電源回路２８及びＤＡ変換回路２６として、正極性側用の第１電源回路２８Ａ及び第１ＤＡ変換回路２６Ａと、負極性側用の第２電源回路２８Ｂ及び第２ＤＡ変換回路２６Ｂとを備えているものについて述べた。しかし、正極性側用の第１電源回路２８Ａ及び第１ＤＡ変換回路２６Ａと、負極性側用の第２電源回路２８Ｂ及び第２ＤＡ変換回路２６Ｂとの間の切換は、制御用集積回路１２内で生成された極性信号ＰＯＬによって行われる。
【００５２】
すなわち、赤色のデジタルＲデータであるＤＲを例にとると、選択信号ＰＯＬと選択されるＤＡ変換回路との関係は、図６に示したとおりとなる。しかも、ＤＲ＝００００００の全黒に対応する階調基準電圧Ｖ０，Ｖ０’と、ＤＲ＝１１１１１１の全赤に対応する階調基準電圧Ｖ６３，Ｖ６３’は、バッファ回路３１〜３４により低インピーダンス化されている。
【００５３】
その結果、第１及び第２ＤＡ変換回路２６Ａ、２６Ｂの負荷の変動によらずに、安定に維持される。その他の階調基準電圧Ｖ１〜Ｖ６２、Ｖ１’〜Ｖ６２’も、第１及び第２ＤＡ変換回路２６Ａ、２６Ｂの負荷の変動を、あまり受けなくなっている。そのために、人の目には実質的に安定化されているように見えるようになる。
【００５４】
しかも、本実施例では、γ補正用階調基準電圧発生回路１４として、単なる抵抗の直列回路よりなる分圧回路で済む。また、バッファ回路３１〜３４は数が少ないために、バッファ回路３１〜３４を有するソースドライバ１５は、単一の集積回路素子（ＩＣ）として構成される。その結果、上記ＩＣを小型化でき、また、安価で良好な表示画質の液晶表示装置が得られる。
【００５５】
また、本実施例では、共通電極への印加電圧は、ａ＝３．６ボルトであり、ＴＦＴの突き抜け電圧は、ｂ＝１．７７ボルトである。Ｖ６３は５．６ボルトであり、Ｖ６３’は３．９４ボルトであり、両者の中間値ｃは４．７７ボルトである。このように、ｃ＝ａ＋ｂとなる様に、設定されている。また、Ｖ０は８．５ボルトであり、Ｖ０’は０．２ボルトである。
【００５６】
なお、本実施例では、電源回路２８及びＤＡ変換回路２６として、正極性側用の第１電源回路２８Ａ及び第１ＤＡ変換回路２６Ａと、負極性側用の第２電源回路２８Ｂ及び第２ＤＡ変換回路２６Ｂとを備えているものを用いた例を示した。しかし、単一の電源回路及びＤＡ変換回路からなるものを使用してもよい。
【００５７】
また、本実施例では、ＤＡ変換回路として分解能が６ビット＝６４階調のものを使用した。しかし、必要に応じて、より分解能が高いものを使用してもよく、より分解能が低いものを使用してもよく、当業者が適宜に定めればよい。
【図面の簡単な説明】
【００５８】
【図１】本発明の液晶表示装置の概略構成を示すブロック図である。
【図２】ソースドライバの概略構成を示すブロック図である。
【図３】γ補正用階調基準電圧発生回路、電源回路及びＤＡ変換回路の一具体例の概略構成を示すブロック図である。
【図４】電源回路における抵抗分圧回路の一部の具体例を示す図である。
【図５】ＤＡ変換回路の内部構成を示す図である。
【図６】選択信号と選択されるＤＡ変換回路との関係を示す図である。
【図７】人間の目が表示された画像に対して違和感なく自然に感じる画像の信号レベルと輝度との関係を示す図である。
【図８】図７に示した関係を得るための液晶表示パネルの信号階調電圧と印加電圧との関係の一例を示す図である。
【図９】従来のγ補正用階調基準電圧発生回路の概略構成を示す図である。
【図１０】別の従来のγ補正用階調基準電圧発生回路の概略構成を示す図である。
【符号の説明】
【００５９】
１０  液晶表示装置
１１  液晶表示パネル
１２  制御用集積回路
１３  電源供給用集積回路
１４  γ補正用階調基準電圧発生回路
１５  ソースドライバ
１６  ゲートドライバ
２１  １８ビットラッチ
２２  シフトレジスタ
２３  サンプリングメモリ
２４  ホールドメモリ
２５  レベルシフタ
２６  ＤＡ変換回路
２６Ａ、２６Ｂ  第１及び第２ＤＡ変換回路
２７  出力バッファ
２８  電源回路
２８Ａ、２８Ｂ  第１及び第２電源回路
３１〜３４  バッファ回路
【図１】
2006276114.tif 000003
【図２】
2006276114.tif 000004
【図３】
2006276114.tif 000005
【図４】
2006276114.tif 000006
【図５】
2006276114.tif 000007
【図６】
2006276114.tif 000008
【図７】
2006276114.tif 000009
【図８】
2006276114.tif 000010
【図９】
2006276114.tif 000011
【図１０】
2006276114.tif 000012